(57)【特許請求の範囲】
【請求項１】
カードが装填されるカードカセットが装着される複数の装着部と、
前記複数の装着部にそれぞれ装着されたカードカセットの種類を検出する検出部と、
電源により供給される電力によって、前記カードカセットから、前記カードを取り出して発給するカード発給部と、
前記電源からの電力供給を停止する停止要求信号と、前記電源からの電力供給を開始する開始要求信号とを取得する取得部と、
前記取得部によって前記停止要求信号が取得された場合に、前記検出部により検出されていたカードカセットの種類と、前記カード発給部がカードを取り出しているアクティブカセットの情報とを不揮発性の記憶部に記憶させる記憶制御部と、
前記取得部によって前記開始要求信号が取得された場合に、前記検出部により検出されたカードカセットの種類と、前記不揮発性の記憶部に記憶されたカードカセットの種類とを比較し、前記複数の装着部にそれぞれ装着されたカードカセットの種類が変更されていない場合に、前記アクティブカセットを変更しないカード発給制御部と、
を備えるカード発給装置。
【請求項２】
前記カード発給制御部は、
前記複数の装着部にそれぞれ装着されたいずれかのカードカセットの種類が変更されている場合に、所定の規則に従って前記アクティブカセットを再設定する、
請求項１に記載のカード発給装置。
【請求項３】
前記カード発給制御部は、電源投入中において前記アクティブカセットに装填されたカードの数がゼロになったときに、同一種類のカセットが装填された他のカセットを前記アクティブカセットに設定する、
請求項１または２に記載のカード発給装置。
【請求項４】
前記記憶制御部は、電源投入中における前記アクティブカセットの情報を、揮発性の記憶部に格納して管理する、
請求項１から３のうちいずれか１項に記載のカード発給装置。
【請求項５】
前記カード発給制御部は、前記カード発給部によるカードの発給対象である全てのカードカセットに装填されたカードの残数が無い場合、前記カードの残数が無いことを表すエンプティ情報を出力する、
請求項１から４のうちいずれか１項に記載のカード発給装置。
【請求項６】
前記所定の規則は、同種類のカードカセットに通し番号を振った場合に、前記同種類のカードカセットにおいて、前記通し番号が最も若いカードカセットを前記アクティブカセットに再設定する、
請求項２に記載のカード発給装置。
【発明の詳細な説明】
【技術分野】
【０００１】
本発明の実施形態は、カード発給装置に関する。
【背景技術】
【０００２】
免許証等のカードを装填したカードカセットからカードを取り出し、カード表面に画像を形成して発給するカード発給装置が知られている。この装置は、カードの種類ごとに複数のカードカセットが装填可能となっている場合がある。このような場合、カード発給装置は、あるカードカセット内のカードを全て消費すると、所定の使用順序に従って次のカードカセットを選択してカードを発給する。
【０００３】
しかしながら、従来のカード発給装置は、カードカセット内のカードを消費し切る前に、他のカードカセットからカード取り出して発給してしまう場合があった。この結果、カードが残存したカードカセットの使い残しが生じてしまい、運用効率が低下する場合があった。
【先行技術文献】
【特許文献】
【０００４】
【特許文献１】特開２００１−１８０１６１号公報
【特許文献２】特開２００２−３０４６４３号公報
【発明の概要】
【発明が解決しようとする課題】
【０００５】
本発明が解決しようとする課題は、運用効率を向上させることができるカード発給装置を提供することである。
【課題を解決するための手段】
【０００６】
実施形態のカード発給装置は、複数の装着部と、検出部と、カード発給部と、取得部と、記憶制御部と、カード発給制御部とをもつ。複数の装着部のそれぞれには、カードが装填されるカードカセットが装着される。検出部は、複数の装着部にそれぞれ装着されたカードカセットの種類を検出する。カード発給部は、電源により供給される電力によって、カードカセットから、カードを取り出して発給する。取得部は、電源からの電力供給を停止する停止要求信号と、電源からの電力供給を開始する開始要求信号とを取得する。記憶制御部は、取得部によって停止要求信号が取得された場合に、検出部により検出されていたカードカセットの種類と、カード発給部がカードを取り出しているアクティブカセットの情報とを不揮発性の記憶部に記憶させる。カード発給制御部は、取得部によって開始要求信号が取得された場合に、検出部により検出されたカードカセットの種類と、不揮発性の記憶部に記憶されたカードカセットの種類とを比較し、複数の装着部にそれぞれ装着されたカードカセットの種類が変更されていない場合に、アクティブカセットを変更しない。
【図面の簡単な説明】
【０００７】
【図１】実施形態におけるカード発給装置１の構成の一例を示す概略図。
【図２】カードカセット２２が差し込まれたカードカセット差込口２０を中心とした構成図。
【図３】凸部２３ａがカセット形状検出センサＳの凹部に嵌め込まれる構造を模式的に表した図。
【図４】実施形態における制御部１１０を中心としたカード発給装置１の構成の一例を示す図。
【図５】不揮発性記憶部１２２に記憶されるカセット使用状態セーブ情報の一例を示す図。
【図６】複数のカードカセット差込口２０に差し込まれたカードカセット２２が消費されていく様子を模式的に表した図。
【図７】図６のカセット使用状態において、カードカセット２２が交換されない場面の一例を表す図。
【図８】図６のカセット使用状態において、カードカセット２２が交換される場面の従来例を表す図。
【図９】図６のカセット使用状態において、カードカセット２２が交換される場面の本発明の実施形態における一例を表す図。
【図１０】実施形態における制御部１１０により実行される処理の流れの一例を示すフローチャート。
【図１１】揮発性記憶部１２４に記憶させるカセット使用状態モニタリング情報の一例を示す図。
【図１２】図１０に示したフローチャートの処理が実施されている最中に割込みで行わせる処理を表したフローチャート。
【図１３】カードカセット２２の使用状態を模式的に表した図。
【図１４】図１３のカードカセット２２の使用状態時に記憶されるカセット使用状態セーブ情報の一例を表す図。
【図１５】図１３のカードカセット２２の使用状態時に電源オフ状態になり、その後電源オン状態になった際のカードカセット２２の使用状態の一例を表す図。
【図１６】図１３のカードカセット２２の使用状態時に電源オフ状態になり、その後電源オン状態になった際のカードカセット２２の使用状態の他の例を表す図。
【発明を実施するための形態】
【０００８】
以下、実施形態のカード発給装置を、図面を参照して説明する。カード発給装置は、例えば、ゴールドやグリーン、ブルーといった複数の種類を有する運転免許証等のカードを発給する。カード発給装置は、カード基材に対してユーザの顔画像を印刷したり、住所・氏名・運転免許番号などのユーザの情報を印字したりする。本実施形態におけるカードは、上述した運転免許証の他に、特定の技能を証明する証明書であってもよいし、学生証や社員証、クレジットカード、ポイントカード、交通系ＩＣカード等であってもよい。本実施形態では、カード発給装置によって使用されるカードを、運転免許証として説明する。
【０００９】
図１は、実施形態におけるカード発給装置１の構成の一例を示す概略図である。本実施形態におけるカード発給装置１は、例えば、カードホッパ部１０と、画像形成部３０と、搬送部４０と、オーバーコート部５０と、スタッカ部６０と、制御部１１０とを備える。
【００１０】
カードホッパ部１０は、複数のカードカセット差込口２０を有する。カードカセット差込口２０には、複数のカードが装填されたカードカセット２２が差し込まれる。カードホッパ部１０は、制御部１１０による制御を受けて、カードカセット差込口２０に差し込まれたカードカセット２２から１枚ずつカードＣを取り出し、後述する画像形成部３０に搬送する。
【００１１】
図２は、カードカセット２２が差し込まれたカードカセット差込口２０を中心とした構成図である。カードカセット２２は、カセット筐体２３内部に複数のカードＣを、厚さ方向に積層した状態で装填する。例えば、カセット筐体２３の一側面には、内部に装填されるカードＣの種類を特定可能なように、カードＣの種類に対応した凸部２３ａが設けられている。また、カセット筐体２３の側面のうち、例えば凸部２３ａが設けられている側面と対向する側面の底部には、内部のカードＣを外部に排出するために側面開口部２４が設けられている。また、カセット筐体２３の下面には、例えばピックアップローラ２６が設けられている。ピックアップローラ２６は、積層されている複数のカードＣのうち、最も下方に位置するカードＣを摩擦力によって側面開口部２４から排出させる。このピックアップローラ２６は、制御部１１０の制御によって駆動するアクチュエータ（不図示）により回転する。また、カセット筐体２３の下面には、内部のカードＣが残存しているか否かを検出するために下面開口部２５が設けられている。
【００１２】
カードカセット差込口２０は、例えば、筐体２１と、カバー部２１ａと、カセット形状検出センサＳ１からＳ３と、カード有無検出センサＳ４とを備える。図示のように筐体２１は、例えば、内部にカードカセット２２を載置可能とした中空構造の多面体や円柱の形状に形成される。なお、カードカセット差込口２０は、装着部の一例である。
【００１３】
カバー部２１ａは、筐体２１を構成する側面の一端部において、筐体２１に対して回動可能に枢支される。例えば、カバー部２１ａは、筐体２１の内部にカードカセット２２を載置する際に作業者の手によって開閉される。
【００１４】
カセット形状検出センサＳ１からＳ３は、例えば、凹部状の遮光センサであり、凹部の一端部から他端部に向けて光を投光し、他端部において投光した光を受光する。カードカセット差込口２０の筐体２１の内部にカードカセット２２が載置された場合、凸部２３ａは、カセット形状検出センサＳ１からＳ３のうちの一部または全部における凹部に嵌め込まれる。以下、カセット形状検出センサＳ１からＳ３を特段区別しない場合は、単にカセット形状検出センサＳと称して説明する。カセット形状検出センサＳの数は、上述したように３つに限らず、凸部２３ａの種類に応じて変更してもよい。
【００１５】
図３は、凸部２３ａがカセット形状検出センサＳの凹部に嵌め込まれる構造を模式的に表した図である。カセット形状検出センサＳ１からＳ３における凹部の一端部には、例えば、光を投光する投光部Ｓａが設けられ、凹部の他端部には、例えば、光を受光する受光部Ｓｂが設けられる。凸部２３ａが凹部に嵌め込まれる場合、投光部Ｓａによって投光された光は、凸部２３ａによって遮られるため、他端部に設けられた受光部Ｓｂにおいて受光されない。凸部２３ａの形状はカードＣの種類に対応しているため、各カセット形状検出センサＳの受光状態によってカードＣの種類を特定することができる。例えば、種類ＡのカードＣである場合、凸部２３ａは、カセット形状検出センサＳ１およびカセット形状検出センサＳ１において投光される光を遮る位置に設けられ、種類ＢのカードＣである場合、凸部２３ａは、カセット形状検出センサＳ２およびカセット形状検出センサＳ３において投光される光を遮る位置に設けられる。このようにして、カセット形状検出センサＳは、カードカセット２２の形状を検出する。また、カセット形状検出センサＳは、移動可能であってもよく、その場合、カセット形状検出センサＳが各カードカセット２２に移動してカードカセット２２の形状を検出する。
カセット形状検出センサＳは、カードカセット２２の形状を認識可能な検出値（各カセット形状検出センサＳによって測定された受光量）を、後述する制御部１１０に出力する。制御部１１０は、このカセット形状検出センサＳの検出値に基づいて、カードカセット２２の形状、すなわちカードカセット２２内部のカードＣの種類を特定する。また、カセット形状検出センサＳは、測定した受光量を閾値と比較し、カードカセット２２の形状を示す離散値信号を制御部１１０に出力してもよい。
【００１６】
なお、カードカセット２２の形状の検出は、以下の構成によって行われてもよい。例えば、内部のカードＣの種類を特定することが可能な画像がカードカセット２２に付されている場合、カード発給装置１は、この画像を読み取ることによってカードカセット２２（カードＣ）の種類を特定してもよい。具体的には、カセット筐体２３の表面に、カードＣの種類を表す情報が暗号化されたＱＲコード（登録商標）やバーコードといった二次元コードが印刷されている場合、カセット形状検出センサＳは、この二次元コードを読み取り、読み取った二次元コードを解析（復号）して制御部１１０に出力する。これによって、制御部１１０は、この解析された二次元コードに基づいてカードカセット２２（カードＣ）の種類を特定する。
【００１７】
また、カードカセット２２ごとに凸部あるいは凹部が設けられている場合、カード発給装置１は、この凸部あるいは凹部までの距離を計測することによってカードカセット２２（カードＣ）の種類を特定してもよい。例えば、カセット筐体２３において、カードカセット２２（カードＣ）の種類に応じて厚さ方向に突出した凸部が設けられている場合、カセット形状検出センサＳは、この凸部の凸面に光を照射して反射光を受光することで凸部の厚さ方向に関する距離（変位）を測定する。この場合、カセット形状検出センサＳは、例えば、レーザドップラ振動計等の測距センサである。カセット形状検出センサＳは、測定した距離を示す信号を制御部１１０に出力する。これによって、制御部１１０は、この距離を示す信号に基づいてカードカセット２２（カードＣ）の種類を特定する。なお、カセット形状検出センサＳと後述する制御部１１０とを合わせたものは、検出部の一例である。
【００１８】
カード有無検出センサＳ４は、例えば、カードカセット差込口２０の筐体２１の内部にカードカセット２２が載置された場合、カセット筐体２３の下面開口部２５に対向する位置に設けられる。カード有無検出センサＳ４は、上述したカセット形状検出センサＳと同様に、投光部および受光部を有する。カード有無検出センサＳ４の投光部は、下面開口部２５を隔ててカセット筐体２３の内部に光を投光する。この際は、カセット筐体２３の内部にカードＣが装填されている場合、カード有無検出センサＳ４の投光部によって投光された光は、下面開口部２５を隔て、カセット筐体２３の内部のカードＣの表面において、カード有無検出センサＳ４側に向けて反射される。カード有無検出センサＳ４の受光部は、このカードＣの表面にて反射された光を受光する。一方、カセット筐体２３の内部にカードＣが装填されていない場合、カード有無検出センサＳ４の投光部によって投光された光は、例えば、カセット筐体２３内部の空気中において散乱する。この結果、カード有無検出センサＳ４の受光部は、カセット筐体２３側で反射された光を受光せず、あるいはカードＣの表面にて反射された光に比して強度の低い光を受光する。カード有無検出センサＳ４は、例えば、カードＣの有無を認識可能な検出値（受光量の測定値）を、後述する制御部１１０に出力する。制御部１１０は、カード有無検出センサＳ４から入力された検出値に基づいて、カセット筐体２３の内部のカードＣの有無を判断する。また、カード有無検出センサＳ４は、測定した受光量を閾値と比較し、カードＣの有無を示す２値信号を制御部１１０に出力してもよい。
【００１９】
画像形成部３０は、カードホッパ部により搬送されたカードＣに対して画像を形成する。例えば、画像形成部３０は、制御部１１０から入力された情報に基づいて、イエロー（Ｙ）、マゼンタ（Ｍ）、シアン（Ｃ）、ブラック（Ｋ）等の複数の色剤（例えばインク）によりカードＣの表面に画像を形成する。なお、画像形成部３０は、熱転写方式で画像を形成してもよいし、インクジェット方式で画像を形成してもよく、画像を形成することができればどのような方式で画像を形成してもよい。
【００２０】
また、画像形成部３０は、複数の色剤により画像が形成されたカードＣの表面に、紫外線吸収層（ＵＶＬ）を形成する。これにより、画像形成部３０は、例えば、カードＣの表面に形成された画像が太陽光によって劣化するのを抑制したり、後述するオーバーコート部による紫外線照射によって劣化するのを抑制したりする。画像形成部３０は、紫外線吸収層を形成したカードＣを搬送部４０に搬送する。
【００２１】
搬送部４０は、例えば、画像形成部３０によって搬送されたカードＣをエレベータにのせ、カードＣの向きを変えることなく、カードＣをオーバーコート部５０に搬送する。
【００２２】
オーバーコート部５０は、搬送部４０によって搬送されたカードＣにオーバーコート膜を熱転写し、カードＣの表面に樹脂を硬化させた保護層を形成する。オーバーコート部５０は、保護層を形成したカードＣをスタッカ部６０に搬送する。
【００２３】
スタッカ部６０は、複数のカード集積部６１を備える、このカード集積部６１は、例えば、カードカセット差込口２０の数と同数備えられる。例えば、スタッカ部６０は、オーバーコート部５０によって搬送されたカードＣを、搬送順でカード集積部６１に集積する。また、スタッカ部６０は、例えば、上述した搬送部４０においてカード詰まりを起こしたカードＣを集積する専用のカード集積部６１を備えていてもよい。
【００２４】
以下、図面を参照して制御部１１０について説明する。図４は、実施形態における制御部１１０を中心としたカード発給装置１の構成の一例を示す図である。カード発給装置１は、上述した構成に加え、さらに入力部１０２、表示部１０４、インターフェース部１０６、記憶部１２０、および電源装置１３０を備える。カードホッパ部１０、画像形成部３０、搬送部４０、オーバーコート部５０、スタッカ部６０、入力部１０２、表示部１０４、インターフェース部１０６、制御部１１０、記憶部１２０、および電源装置１３０は、内部バスＩＢによって互いに接続される。
【００２５】
入力部１０２は、例えば、スイッチ、キーボード、マウス、マイク、タッチパネル等のユーザインターフェースである。なお、表示部１０４がタッチパネルの場合、入力部１０２は、表示部１０４の一部機能であってもよい。入力部１０２は、例えば、カード発給装置１を操作する作業者から、カード発給装置１の電力の供給を停止する電力停止要求、または電力の供給を開始する電力開始要求を指定する入力を受け付ける。また、入力部１０２は、赤外線リモコン等によって照射された赤外線を受信して、電力停止要求または電力開始要求を受け付けてもよい。入力部１０２は、電力停止要求または電力開始要求を受け付けるのに応じて、受け付けた要求を示す信号を制御部１１０に出力する。
【００２６】
また、入力部１０２は、上述した作業者等から、カードＣの発給を要求するカード発給要求を指定する入力を受け付けてもよい。入力部１０２は、受け付けたカード発給要求を示す信号を制御部１１０に出力する。
【００２７】
表示部１０４は、例えば、ＬＣＤ（Liquid Crystal Display）や有機ＥＬ（Electroluminescence）ディスプレイなどの表示装置を含む。表示部１０４は、制御部１１０によって出力される情報に基づいて、画像を表示する。
【００２８】
インターフェース部１０６は、例えば、ＵＳＢ（Universal Serial Bus）やイーサネット（登録商標）に対応したインターフェースであり、例えばＬＡＮ（Local Area Network）やＷＡＮ（Wide Area Network）等のネットワークＮＷに接続される。制御部１１０は、インターフェース部１０６と接続されたネットワークＮＷを介して、運転免許証に印刷する運転者の顔画像を撮像する撮像装置２００−１から２００−ｎと通信する。撮像装置２００−１から２００−ｎは、運転免許の取得または更新を行う人の顔画像を撮像し、撮像した顔画像のデータを、ネットワークＮＷを介して制御部１１０に出力する。
【００２９】
制御部１１０は、取得部１１２と、記憶制御部１１４と、カード発給制御部１１６と、電源制御部１１８とを備える。上述した制御部１１０の機能部のうち一部または全部は、ＣＰＵ（Central Processing Unit）等のプロセッサが記憶部１２０に記憶されたプログラムを実行することにより実現される。プログラムは、例えば、ネットワークＮＷを介してアプリケーションサーバからダウンロードされてもよいし、ＳＤカードなどの可搬型記憶媒体に格納されたものがカード発給装置１にインストールされてもよい。また、制御部１１０の機能部のうち一部または全部は、ＬＳＩ（Large Scale Integration）、ＡＳＩＣ（Application Specific Integrated Circuit）、ＦＰＧＡ（Field-Programmable Gate Array）等のハードウェアによって実現されてもよい。
【００３０】
取得部１１２は、各種センサなどから検出値や信号を取得する機能を実現するものである。
取得部１１２は、入力部１０２から電力停止要求を示す停止要求信号、または電力開始要求を示す開始要求信号を取得する。また、取得部１１２は、上記ネットワークＮＷを介して外部装置から停止要求信号または開始要求信号を取得してもよいし、図示しない無線通信装置によるBluetooth（登録商標）等の無線通信によって外部装置から停止要求信号または開始要求信号を取得してもよい。
【００３１】
また、取得部１１２は、上述した各種センサから検出値を取得する。具体的には、取得部１１２は、カセット形状検出センサＳの各々からカードカセット２２の形状を認識可能な検出値を取得し、カード有無検出センサＳ４からカードＣの有無を認識可能な検出値を取得する。
【００３２】
また、取得部１１２は、入力部１０２からカード発給要求を示す発給要求信号を取得する。なお、取得部１１２は、ネットワークＮＷを介して接続される外部装置から発給要求信号を取得してもよい。また、取得部１１２は、上述した撮像装置２００−１から２００−ｎのいずれか１つ以上から画像データが出力された場合、この画像データの出力をもってカード発給要求と見做してもよい。
【００３３】
記憶制御部１１４は、取得部１１２によって停止要求信号が取得された場合、電力供給が再度開始されたときに現在使用しているカードカセット２２の使用状態を復元するために、現在のカードカセット２２の使用状態を表す情報（以下、カセット使用状態セーブ情報と称する）を、後述する記憶部１２０の不揮発性記憶部１２２に記憶させる。具体的には、記憶制御部１１４は、カセット使用状態セーブ情報として、現在のカードカセット差込口２０に差し込まれているカードカセット２２の形状（カードＣの種類）を表す情報と、カードカセット差込口２０のそれぞれを識別する識別情報と、カード発給の対象であるカセット（アクティブカセット）であるか否かを表すアクティブ情報とを対応付けて不揮発性記憶部１２２に記憶させる。例えば、カードカセット差込口２０の識別情報は、他のカードカセット差込口２０の識別情報と重複しないように割り振られた一連の情報である。以下、この一連の情報を差込口番号と称して説明する。
【００３４】
図５は、不揮発性記憶部１２２に記憶されるカセット使用状態セーブ情報の一例を示す図である。図示のように、カードカセット差込口２０の識別情報である差込口番号には、カードカセットの形状（カードの種類）を表す情報と、アクティブ情報とが対応付けられている。アクティブ情報を表す項目には、現在カードカセット差込口２０に差し込まれており、且つカードカセット２２からカードＣが取り出されている、あるいは取り出されようとしている状態である場合、“アクティブ”という情報が書き込まれ、それ以外の状態である場合、“ノンアクティブ”という情報が書き込まれる。
【００３５】
カード発給制御部１１６は、取得部１１２によって発給要求信号が取得された場合、カードホッパ部１０、画像形成部３０、搬送部４０、オーバーコート部５０、およびスタッカ部６０を制御して、取得部１１２により発給要求信号が取得された順番でカードＣを発給させる。具体的には、カード発給制御部１１６は、カードホッパ部１０を制御して、カードカセット差込口２０に差し込まれたカードカセット２２から１枚ずつカードＣを取り出させ、後段の画像形成部３０に搬送させる。カード発給制御部１１６は、例えば、画像形成部３０を制御して、撮像装置２００−１から２００−ｎのうち、最も早く画像データを出力した撮像装置を優先的に扱い、この撮像装置によって出力された画像データに基づく画像をカードＣに形成させ、画像が形成されたカードＣに紫外線吸収層を形成させた後にカードＣを搬送部４０に搬送させる。これによって、カード発給装置１は、カード発給要求を受け付けた順番でカードＣに画像を形成する。
【００３６】
また、カード発給制御部１１６は、搬送部４０を制御して、画像形成部３０によって搬送されたカードＣをオーバーコート部５０に搬送させる。カード発給制御部１１６は、オーバーコート部５０を制御して、搬送部４０によって搬送されたカードＣにオーバーコート膜を熱転写させ、カードＣの表面に保護層を形成させた後、カードＣをスタッカ部６０に搬送させる。カード発給制御部１１６は、スタッカ部６０を制御して、オーバーコート部５０によって搬送されたカードＣを、搬送された順番でカード集積部６１に集積させる。以下、カードホッパ部１０、画像形成部３０、搬送部４０、オーバーコート部５０、およびスタッカ部６０を合わせたものを、カード発給部と称して説明する。
【００３７】
電源制御部１１８は、取得部１１２によって開始要求信号が取得された場合、電源装置１３０を制御して、各機能部に電力を供給させる。また、電源制御部１１８は、取得部１１２によって停止要求信号が取得された場合、電源装置１３０を制御して、各機能部への電力の供給を停止させる。
【００３８】
記憶部１２０は、例えば、不揮発性記憶部１２２と、揮発性記憶部１２４とを備える。不揮発性記憶部１２２は、例えば、ＳＤカード、ＲＯＭ（Read Only Memory）、フラッシュメモリ、ＨＤＤ（Hard Disk Drive）等の不揮発性の記憶媒体によって実現される。不揮発性記憶部１２２は、プロセッサが実行するプログラムを格納する。また、不揮発性記憶部１２２は、カセット使用状態セーブ情報を格納する。
【００３９】
揮発性記憶部１２４は、ＲＡＭ（Random Access Memory）、レジスタ等の揮発性の記憶媒体によって実現される。揮発性記憶部１２４は、プロセッサが処理した結果を一時的に格納する。また、揮発性記憶部１２４は、カードＣに画像を形成する際に参照される画像データを一時的に格納する。例えば、揮発性記憶部１２４は、ネットワークＮＷを介して撮像装置２００−１から２００−ｎによって出力された顔画像データを一時的に格納する。
【００４０】
電源装置１３０は、例えば、コンセントとプラグを介して商用電源に接続され、商用電源によって供給される電力を、各機能部に合わせた形式の電力に変換する。例えば、電源装置１３０は、商用電源の交流電力を直流電力に変換し、所望の電圧で出力する。電源装置１３０は、変換した直流電力を、電力供給ケーブルを介して各機能部に供給する。以下、電源装置１３０により各機能部に電力が供給されている状態（電源投入中）を電源オン状態と称し、各機能部に電力が供給されていない状態を電源オフ状態と称して説明する。なお、入力部１０２には、電源オフ状態であっても、専用のスタンバイ回路によってある程度の電力が供給され、常時電力停止要求、電力開始要求、カード発給要求といった入力が受け付けられるものとする。
【００４１】
以下、カード発給装置１によるカード発給の動作について説明する。図６は、複数のカードカセット差込口２０に差し込まれたカードカセット２２が消費されていく様子を模式的に表した図である。図示の例では、説明を簡略化するために、カードカセット２２の種類は、全て同じものとして説明する。カード発給装置１は、所定の規則に従ってカードカセット２２からカードＣを消費していく。例えば、カード発給装置１は、同種類のカードカセット２２において、カードカセット差込口２０の差込口番号の若い順からカードＣを消費（発給）させていく。図示の例では、記憶制御部１１４は、差込口番号１のカードカセット２２が空になると、差込口番号１のアクティブ情報を“アクティブ”から“ノンアクティブ”に書き換え、差込口番号２のアクティブ情報を“ノンアクティブ”から“アクティブ”に書き換える。これによって、カード発給制御部１１６は、カードＣの取り出し対象であるカードカセット２２を、差込口番号１のものから差込口番号２のものに変更し、差込口番号２のカードカセット２２から順にカードＣを発給させる。例えば、ある程度の量のカードＣを発給させた後、作業者等のユーザによって入力部１０２に電力停止要求が入力された場合、電源制御部１１８は、電源装置１３０を制御して電源オフ状態にする。このような場合、例えば、以下の３つの使用状態が考えられる。
【００４２】
図７は、図６のカセット使用状態において、カードカセット２２が交換されない場面の一例を表す図である。図示の例では、電源オフ状態時に、空になった差込口番号１のカードカセット２２が、カードＣが装填された新しいカードカセット２２に交換されていない。このような場合、カード発給装置１は、電源オフ状態から電源オン状態に復帰した場合、同種類のカードカセット２２において、カードカセット差込口２０の差込口番号の若い順からカードＣを消費させていくという上述した規則に従って、差込口番号２のカードカセット２２からカードＣの発給を開始する。
【００４３】
図８は、図６のカセット使用状態において、カードカセット２２が交換される場面の従来例を表す図である。図示の例では、電源オフ状態時に、空になった差込口番号１のカードカセット２２が、カードＣが装填された新しいカードカセット２２に交換されている。このとき、従来例においては、電源オフ状態になる前にカードカセット２２の使用状態が保存されておらず、カードカセット２２の使用状態がリセットされていたため、カード発給装置１は、上述した規則に従って、電源オフ状態から電源オン状態に復帰した場合に電源オフ状態になる前に使用していた差込口番号２のカードカセット２２からカードＣの発給を行わず、上述した規則に従って最も番号の若い差込口番号１のカードカセット２２からカードＣを発給していた。
このような使用形態である場合、番号の最も若い差込口番号１に差し込まれるカードカセット２２の消費サイクルは短くなりやすく、差込口番号が大きくなるにつれてカードカセット２２の消費サイクルは長くなりやすい。従って、差込口番号が大きいカードカセット差込口２０に差し込まれたカードカセット２２において、完全にカードＣが消費されずに使い残された場合、このカードカセット２２はカードホッパ部１０内に長い期間使用されずに存在する可能性が高くなる。この結果、カード発給装置１において製造ロットの異なる複数のカードカセット２２が使用される場合、製造ロット間の差異によってカードＣに形成する画像に斑が生じたり、搬送部４０等においてカード詰まりが生じたりする問題が発生する。また、上記問題を解消するために、製造ロットごとに画像形成時のカードＣの搬送速度やローラ圧力等の画像形成に係るパラメータを調整する必要があり、調整の負荷が大きくなる傾向がある。
【００４４】
一方で、本発明の実施形態によれば、上述した課題が解消される。図９は、図６のカセット使用状態において、カードカセット２２が交換される場面の本発明の実施形態における一例を表す図である。図９の例では、上述した図８の例と同様に、電源オフ状態時に、空になった差込口番号１のカードカセット２２が、カードＣが装填された新しいカードカセット２２に交換されている。このとき、実施形態のカード発給装置１においては、電源オフ状態になる前にカードカセット２２の使用状態が保存される。電源オフ状態から電源オン状態に遷移する期間において、カードカセット２２の種類は変更しておらず、カード発給装置１は、電源オフ状態になる前に使用していたカードカセット２２から順番にカードＣを発給していく。
この結果、カード発給装置１は、カードカセット２２の消費サイクルを均一に保つことができ、カードカセット２２の運用効率を向上させることができる。また、カード発給装置１は、製造ロットの異なる複数のカードカセット２２を使用する場合であっても、一つのカードカセット２２から順番にカードＣを発給していくため、製造ロットの異なる複数のカードカセット２２にまたがって使用する機会を低減することができる。この結果、カード発給装置１は、画像形成に係るパラメータの調整負荷を小さくすることができるとともに、カードＣに形成する画像の精度を向上させることができる。
なお、図１６の説明で後述するように、電源オフ状態から電源オン状態に遷移する期間において、いずれかのカードカセット２２の種類が変更している場合は、カード発給装置１は、上述した規則に従って最も番号の若い差込口番号１のカードカセット２２からカードＣを発給する。
【００４５】
以下、制御部１１０の処理内容について、フローチャートを参照して説明する。図１０は、実施形態における制御部１１０により実行される処理の流れの一例を示すフローチャートである。本フローチャートは、例えば、カード発給装置１が電源オフ状態から電源オン状態に切り替わったときに開始される。
【００４６】
まず、取得部１１２は、カードカセット差込口２０ごとに設けられた各種センサから検出値を取得する（ステップＳ１００）。次に、カード発給制御部１１６は、取得部１１２によって取得された各種センサの検出値に基づいて、現在カードカセット差込口２０に差し込まれているカードカセットの使用状態を特定する（ステップＳ１０２）。
【００４７】
具体的には、カード発給制御部１１６は、カセット形状検出センサＳの検出値に基づいて、カードカセット差込口２０ごとに、カードカセット２２が差し込まれているか否かを判定する。例えば、カセット形状検出センサＳのいずれにおいてもカードカセット２２の形状が検出されない場合、カード発給制御部１１６は、カセット形状検出センサＳが設けられたカードカセット差込口２０に、カードカセット２２が差し込まれていないと判定する。また、カード発給制御部１１６は、カードカセット２２が差し込まれているカードカセット差込口２０ごとに、カードカセット２２の形状を特定する。また、カード発給制御部１１６は、カード有無検出センサＳ４の検出値に基づいて、カードカセット２２が差し込まれているカードカセット差込口２０ごとに、カセット筐体２３の内部のカードＣの有無を判定する。
【００４８】
次に、記憶制御部１１４は、カード発給制御部１１６により特定された、カードカセット２２の差込の有無と、カードカセット２２の形状と、カードカセット２２内のカードＣの有無とを、カードカセット差込口２０の差込口番号ごとに対応付けて揮発性記憶部１２４に一時的に記憶させる（ステップＳ１０４）。以下、カードカセット２２の差込の有無と、カードカセット２２の形状と、カードカセット２２内のカードＣの有無とを、カードカセット差込口２０の差込口番号ごとに対応付けた情報を、カセット使用状態モニタリング情報と称して説明する。図１１は、揮発性記憶部１２４に記憶させるカセット使用状態モニタリング情報の一例を示す図である。
【００４９】
次に、カード発給制御部１１６は、揮発性記憶部１２４に記憶されたカセット使用状態モニタリング情報と、不揮発性記憶部１２２に記憶されたカセット使用状態セーブ情報とを比較して、各差込口番号に対応付けられているカセット形状が両情報間において一致するか否か、すなわち、電源オフ状態から電源オン状態に遷移する期間において、いずれかのカードカセット２２の種類が変更されたか否かを判定する（ステップＳ１０６）。
【００５０】
カセット使用状態モニタリング情報とカセット使用状態セーブ情報とにおいて各差込口番号に対応付けられているカセット形状が一致する場合、すなわち、電源オフ状態から電源オン状態に遷移する期間において、カードカセット２２の種類が変更されていない場合、カード発給制御部１１６は、カセット使用状態セーブ情報に含まれるアクティブ情報を参照して、電源オフ状態になる前のアクティブカセットを継続して設定する（ステップＳ１０８）。例えば、カード発給制御部１１６は、カセット使用状態セーブ情報において、“アクティブ”と書き込まれている差込口番号のカードカセット２２をカードＣの発給対象として継続して設定する。
【００５１】
一方、カセット使用状態モニタリング情報とカセット使用状態セーブ情報とにおいて各差込口番号に対応付けられているカセット形状が一致しない場合、すなわち、電源オフ状態から電源オン状態に遷移する期間において、カードカセット２２の種類が変更された場合、カード発給制御部１１６は、所定の規則に従ってアクティブカセットを再設定する（ステップＳ１１０）。再設定するアクティブカセットは、例えば、同種類のカードカセット２２において、最も若い差込口番号のカードカセット差込口２０に装着されたカードカセット２２である。
【００５２】
次に、カード発給制御部１１６は、取得部１１２によって発給要求信号が取得されているか否かを判定する（ステップＳ１１２）。取得部１１２によって発給要求信号が取得されている場合、カード発給制御部１１６は、カード発給部を制御して、カードＣを発給させる（ステップＳ１１４）。
【００５３】
取得部１１２によって発給要求信号が取得されていない場合、或いはステップＳ１１４の処理の後に、カード発給制御部１１６は、設定したカードカセット２２内のカードの残数がゼロであるか否かを判定する（ステップＳ１１６）。例えば、カード発給制御部１１６は、ステップＳ１１４の処理の最中または処理後において取得部１１２によって取得されたカード有無検出センサＳ４の検出値に基づいて、カードの残数がゼロであるか否かを判定する。設定したカードカセット２２内のカードの残数がゼロでない場合、カード発給制御部１１６は、上述したステップＳ１１２の処理に戻る。
【００５４】
一方、設定したカードカセット２２内のカードの残数がゼロである場合、カード発給制御部１１６は、カセット使用状態モニタリング情報を参照して、設定したカードカセット２２と同種類のカードカセット２２が他のカードカセット差込口２０に差し込まれているか否かを判定する（ステップＳ１１８）。
【００５５】
同種類のカードカセット２２が他のカードカセット差込口２０に差し込まれていない場合、カード発給制御部１１６は、カードカセット２２内のカードＣが空であることを表すエンプティ情報を出力し（ステップＳ１２４）、本フローチャートの処理を終了する。例えば、カード発給制御部１１６は、このエンプティ情報を表示部１０４に出力する。これにより、表示部１０４には、カードカセット２２内のカードＣが空であることが表示される。
【００５６】
一方、同種類のカードカセット２２が他のカードカセット差込口２０に差し込まれている場合、カード発給制御部１１６は、この同種類のカードカセット２２内のカードの残数がゼロであるか否かを判定する（ステップＳ１２０）。同種類のカードカセット２２内のカードの残数がゼロである場合、カード発給制御部１１６は、上述したステップＳ１２４の処理を行って本フローチャートの処理を終了する。
【００５７】
一方、同種類のカードカセット２２内のカードの残数がゼロでない場合、記憶制御部１１４は、現在設定しているアクティブカセットの差込口番号に対応付けられたアクティブ情報を“アクティブ”から“ノンアクティブ”に書き換え、同種類のカードカセット２２が差し込まれている差込口番号に対応付けられたアクティブ情報を“ノンアクティブ”から“アクティブ”に書き換えて、上述したステップＳ１１２の処理に戻る。これによって、カード発給制御部１１６は、新たに“ノンアクティブ”から“アクティブ”に変更した差込口番号のカードカセット２２をアクティブカセットに再設定し、このアクティブカセットから順次カードＣを取り出して発給させる。
【００５８】
図１２は、図１０に示したフローチャートの処理が実施されている最中に割込みで行わせる処理を表したフローチャートである。本フローチャートの処理は、例えば、図１０に示したフローチャートの処理と並列で行われ、所定周期で繰り返される。
【００５９】
まず、制御部１１０は、取得部１１２によって停止要求信号が取得されたか否かを判定する（ステップＳ２００）。取得部１１２によって停止要求信号が取得されていない場合、制御部１１０は、本フローチャートの処理を終了する。
【００６０】
一方、取得部１１２によって停止要求信号が取得された場合、記憶制御部１１４は、カセット使用状態セーブ情報を不揮発性記憶部１２２に記憶させる（ステップＳ２０２）。次に、電源制御部１１８は、電源装置１３０を制御して電源オフ状態にし、カード発給処理を停止させる（ステップＳ２０４）。これによって、本フローチャートの処理が終了する。
【００６１】
以下、本実施形態の適用例として、カードカセット差込口２０の数が５つ、使用するカードカセットの形状（カードＣの種類）が３パターンである場合について説明する。
【００６２】
図１３は、カードカセット２２の使用状態を模式的に表した図である。図１３の例では、差込口番号１から５には、順に種類Ａのカードカセット２２、種類Ｂのカードカセット２２、種類Ｃのカードカセット２２、種類Ａのカードカセット２２、種類Ｃのカードカセット２２が差し込まれている。差込口番号１のカードカセット２２内のカードＣは、全て消費され、同種類のカードカセット２２が差し込まれた差込口番号４にアクティブが移り変わっており、差込口番号４のカードカセット２２内のカードＣはある程度消費されている。また、差込口番号２のカードカセット２２内のカードＣは、幾分か消費されている。また、差込口番号３のカードカセット２２内のカードＣは、全て消費され、同種類のカードカセット２２が差し込まれた差込口番号５にアクティブが移り変わっており、差込口番号５のカードカセット２２内のカードＣはある程度消費されている。
【００６３】
このようなカードカセット２２の使用状態時に、取得部１１２によって停止要求信号が取得された場合、記憶制御部１１４は、図１４に示すようなカセット使用状態セーブ情報を不揮発性記憶部１２２に記憶させる。図１４は、図１３のカードカセット２２の使用状態時に記憶されるカセット使用状態セーブ情報の一例を表す図である。
【００６４】
上述した図１３のカードカセット２２の使用状態時に電源オフ状態になり、その後電源オン状態になった場合、例えば、以下のようなカードカセット２２の使用状態が存在する。
【００６５】
図１５は、図１３のカードカセット２２の使用状態時に電源オフ状態になり、その後電源オン状態になった際のカードカセット２２の使用状態の一例を表す図である。図１５の例では、空になった差込口番号１および３のカードカセット２２には、それぞれ電源オフ状態になる前に使用していたカードカセット２２と同種類（種類ＡおよびＣ）のカードカセット２２が差し込まれている。また、差込口番号２、４、５には、電源オフ状態になる前のカードカセット２２と同じものが差し込まれている。
【００６６】
このような場合、制御部１１０は、図１４に示すように、電源オフ状態になる前の差込口番号とカードカセット２２の形状との対応関係に、現在の差込口番号とカードカセット２２の形状との対応関係が一致するため、電源オフ状態になる前にアクティブにしていた差込口番号２、４、５のカードカセット２２から引き続きカードＣを発給させることができる。
【００６７】
図１６は、図１３のカードカセット２２の使用状態時に電源オフ状態になり、その後電源オン状態になった際のカードカセット２２の使用状態の他の例を表す図である。図１６の例では、空になった差込口番号１のカードカセット２２には、電源オフ状態になる前に使用していたカードカセット２２と同種類（種類Ａ）のカードカセット２２が差し込まれているが、空になった差込口番号３のカードカセット２２には、電源オフ状態になる前に使用していたカードカセット２２と異なる種類（種類Ａ）のカードカセット２２が差し込まれている。さらに、差込口番号２および５には、電源オフ状態になる前のカードカセット２２と同じものが差し込まれているが、差込口番号４のカードカセット２２には、電源オフ状態になる前に使用していたカードカセット２２と異なる種類（種類Ｃ）のカードカセット２２が差し込まれている。
このように、電源オフ状態から電源オン状態に遷移する期間に、図１３と異なる種類のカードＣが装填されたカードカセット２２が図１３のカードカセット２２の位置に差し込まれることがある。すなわち、電源オフ状態から電源オン状態に遷移する期間において、カードカセット２２の種類が変更される場合がある。
【００６８】
このような場合、制御部１１０は、図１４に示すように、電源オフ状態になる前の差込口番号とカードカセット２２の形状との対応関係に、現在の差込口番号とカードカセット２２の形状との対応関係が一致しないため、同種類のカードカセット２２において、カードカセット差込口２０の差込口番号の若い順からカードＣを消費させていくという上述した規則に従い、種類Ａのなかで最も番号の若い差込口番号１のカードカセット２２をアクティブにし、種類Ｂのなかで最も番号の若い差込口番号２のカードカセット２２をアクティブにし、種類Ｃのなかで最も番号の若い差込口番号４のカードカセット２２をアクティブにする。これによって、制御部１１０は、アクティブにした差込口番号１、２、４のカードカセット２２からカードＣを発給させる。
【００６９】
以上説明した実施形態におけるカード発給装置１によれば、カードＣが装填されるカードカセット２２が装着される複数のカードカセット差込口２０と、複数のカードカセット差込口２０のそれぞれに装着されたカードカセット２２の形状を検出するカセット形状検出センサＳと、電源装置１３０により供給される電力によって、カードカセット２２からカードＣを取り出して発給するカード発給部と、停止要求信号と開始要求信号とを取得する取得部１１２と、取得部１１２によって停止要求信号が取得された場合に、カセット形状検出センサＳの検出値により特定したカードカセットの種類と、カード発給部がカードを取り出しているアクティブカセットが装着されたカードカセット差込口２０の差込口番号とを含むカセット使用状態セーブ情報を不揮発性記憶部１２２に記憶させる記憶制御部１１４と、取得部１１２によって開始要求信号が取得された場合に、カセット形状検出センサＳの検出値により特定したカードカセットの種類と、不揮発性記憶部１２２に記憶されたカセット使用状態セーブ情報に含まれるカードカセット２２の種類とを比較し、複数のカードカセット差込口２０にそれぞれ装着されたカードカセット２２の種類が変更されていない場合に、アクティブカセットを変更せず、複数のカードカセット差込口２０にそれぞれ装着されたいずれかのカードカセット２２の種類が変更されている場合に、所定の規則に従ってアクティブカセットを再設定するカード発給制御部１１６と、を備えることにより、電源オフ状態から電源オン状態に遷移する期間において、カードカセット２２の種類が変更されていない場合に、電源オフ状態にした場合であっても、電源オフ状態になる前にアクティブにしていたカードカセット２２から引き続きカードＣを発給させることができる。この結果、カード発給装置１は、カードＣが残存したカードカセット２２の使い残しを低減させることができ、カードカセット２２の運用効率を向上させることができる。
【００７０】
また、実施形態におけるカード発給装置１によれば、電源オフ状態にした場合であってもカセット使用状態セーブ情報を不揮発性記憶部１２２に記憶させることにより、カードカセット２２の使い残しを低減させることができる。この結果、ユーザは、カードカセット２２の残数確認や、カードカセット２２の保管容量の削減といった在庫管理を簡便に行うことができる。
【００７１】
また、実施形態におけるカード発給装置１によれば、電源オフ状態にした場合であってもカセット使用状態セーブ情報を不揮発性記憶部１２２に記憶させることにより、電源オフ状態から電源オン状態に遷移する期間において、いずれかのカードカセット２２の種類が変更されている場合に、例えば、同種類のカードカセット２２において、カードカセット差込口２０の差込口番号の若い順からカードＣを消費させていくことを継続することができる。このため、製造ロットが互いに異なるカードＣを同時に使用する機会を低減することができる。
【００７２】
例えば、同じ種類のカードＣであっても、カセットごとに異なる製造元から送られてくる場合があり、この場合、カードＣの微妙な厚さやカード表面の粗さなどが異なる場合がある。カード発給装置１は、この相違に応じて微調整を行うため、異なる製造元から送られてくるカードＣが装填されたカセットが入れ違いにアクティブカセットとして設定されると、微調整の負荷が大きくなる傾向がある。
これに対し、実施形態におけるカード発給装置１は、電源オフ状態にした場合であっても、カセット使用状態セーブ情報を不揮発性記憶部１２２に記憶させることにより、製造ロットが互いに異なるカードＣを交互に使用する機会を低減することができるため、画像形成に係る調整の負荷を低減すると共に、カードＣに形成する画像の精度を向上させることができる。
【００７３】
また、実施形態におけるカード発給装置１によれば、プロセッサが参照するプログラムを格納する揮発性記憶部１２４に最小限の情報、すなわちカセット使用状態セーブ情報のみを記憶させるため、揮発性記憶部１２４における書き換えデータ量を低減させることができる。この結果、カード発給装置１は、揮発性記憶部１２４の劣化を抑制することができる。また、カード発給装置１は揮発性記憶部１２４の記憶容量を小さくすることができる。
【００７４】
以下、その他の実施形態について説明する。
上述した実施形態において、スタッカ部６０は、カード発給制御部１１６の制御を受けて、撮像装置２００−１から２００−ｎと連動してカード集積部６１を切り替えてもよい。例えば、スタッカ部６０は、撮像装置２００−１から入力された画像データに基づいて画像が形成されたカードＣをカード集積部６１ａに集積し、撮像装置２００−２から入力された画像データに基づいて画像が形成されたカードＣをカード集積部６１ｂに集積する。
【００７５】
以上説明した少なくともひとつの実施形態によれば、カードＣが装填されるカードカセット２２が装着される複数のカードカセット差込口２０と、複数のカードカセット差込口２０のそれぞれに装着されたカードカセット２２の形状を検出するカセット形状検出センサＳと、電源装置１３０により供給される電力によって、カードカセット２２からカードＣを取り出して発給するカード発給部と、停止要求信号と開始要求信号とを取得する取得部１１２と、取得部１１２によって停止要求信号が取得された場合に、カセット形状検出センサＳの検出値により特定したカードカセットの種類と、カード発給部がカードを取り出しているアクティブカセットが装着されたカードカセット差込口２０の差込口番号とを含むカセット使用状態セーブ情報を不揮発性記憶部１２２に記憶させる記憶制御部１１４と、取得部１１２によって開始要求信号が取得された場合に、カセット形状検出センサＳの検出値により特定したカードカセットの種類と、不揮発性記憶部１２２に記憶されたカセット使用状態セーブ情報に含まれるカードカセット２２の種類とを比較し、複数のカードカセット差込口２０にそれぞれ装着されたカードカセット２２の種類が変更されていない場合に、アクティブカセットを変更せず、複数のカードカセット差込口２０にそれぞれ装着されたいずれかのカードカセット２２の種類が変更されている場合に、所定の規則に従ってアクティブカセットを再設定するカード発給制御部１１６と、を備えることにより、電源オフ状態から電源オン状態に遷移する期間において、カードカセット２２の種類が変更されていない場合に、電源オフ状態にした場合であっても、電源オフ状態になる前にアクティブにしていたカードカセット２２から引き続きカードＣを発給させることができる。この結果、カード発給装置１は、カードＣが残存したカードカセット２２の使い残しを低減させることができ、カードカセット２２の運用効率を向上させることができる。
【００７６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７７】
１…カード発給装置、１０…カードホッパ部、２０…カードカセット差込口、２２…カードカセット、３０…画像形成部、４０…搬送部、５０…オーバーコート部、６０…スタッカ部、１０２…入力部、１０４…表示部、１０６…インターフェース部、１１０…制御部、１１２…取得部、１１４…記憶制御部、１１６…カード発給制御部、１１８…電源制御部、１２０…記憶部、１２２…不揮発性記憶部、１２４…揮発性記憶部、１３０…電源装置、Ｓ１、Ｓ２、Ｓ３…カセット形状検出センサ、Ｓ４…カード有無検出センサ、Ｃ…カード
【図１】
0006509689.tif 000002
【図２】
0006509689.tif 000003
【図３】
0006509689.tif 000004
【図４】
0006509689.tif 000005
【図５】
0006509689.tif 000006
【図６】
0006509689.tif 000007
【図７】
0006509689.tif 000008
【図８】
0006509689.tif 000009
【図９】
0006509689.tif 000010
【図１０】
0006509689.tif 000011
【図１１】
0006509689.tif 000012
【図１２】
0006509689.tif 000013
【図１３】
0006509689.tif 000014
【図１４】
0006509689.tif 000015
【図１５】
0006509689.tif 000016
【図１６】
0006509689.tif 000017